(57)【要約】【課題】  目地部を光らせることができ、さらには、さまざまな照明パターンを有する天井照明ユニットを提供すること。【解決手段】  複数の光源を有するグリット部Ｇと隣接するグリット部Ｇ間に形成される目地部Ｈを有する。グリット部Ｇと目地部Ｈとは少なくともその下面を透光部材で覆われる。グリット部Ｇと目地部との間に遮光板を設ける。光源４をグリット部Ｇ及び目地部Ｍにそれぞれ配置し、光源４の点灯により各グリッドＧ又は各目地部Ｍを独立して点灯可能に構成する。【選択図】    図１
2006108079.tif 000002
【特許請求の範囲】
【請求項１】
複数の光源を有するグリット部と隣接するグリット部間に形成される目地部とを有する天井照明ユニットにおいて、
前記グリット部（Ｇ）と前記目地部（Ｈ）とは少なくともその下面を透光部材（２，３）で覆われており、前記グリット部（Ｇ）と前記目地部（Ｈ）との間に遮光板（３０）を設け、前記光源（４）を前記グリット部（Ｇ）及び前記目地部（Ｈ）にそれぞれ配置し、前記光源（４）の点灯により各グリッド（Ｇ）又は各目地部（Ｈ）を独立して点灯可能に構成したことを特徴とする天井照明ユニット。
【請求項２】
前記各グリッド部（Ｇ）を覆う着脱自在な可動透光部（Ｍ）が、左右一対のフリクションアーム（１０，１０）により支持され、このフリクションアーム（１０）は、一端を固定側フレーム（２５）に枢支させ可動透光部（Ｍ）の下方への移動に伴ってこの可動透光部（Ｍ）の一方の端部を目地部（Ｈ）から遠ざけるように揺動させる第一リンク（１２）と、可動透光部（Ｍ）の他の部分を支持すると共に他端を前記固定側フレーム（２５）に横方向に移動自在に支持させて第二リンク（１３）とを有することを特徴とする請求項１記載の天井照明ユニット。
【請求項３】
前記目地部（Ｈ）が透光部材を有し、この透光部材（３）は平坦部（３ａ）と傾斜部（３ｂ）とを有しこれら両部分は鈍角をなすものであることを特徴とする請求項１又は２記載の天井照明ユニット。
【請求項４】
前記可動透光部（Ｍ）が、平面視で矩形に組まれたフレームを有し、このフレームの長手方向直交断面が下方に向かうに従って外側に広がり且つ鋭角となることを特徴とする請求項１〜３のいずれかに記載の天井照明ユニット。
【請求項５】
前記可動透光部（Ｍ）が透光部材としてキャンバス地（２）を有し、前記可動透光部（Ｍ）のフレームがキャンバス地（２）の押さえ部材（６ｂ）を有し、この押さえ部材（６ｂ）は前記可動透光部（Ｍ）の側方から着脱操作可能であることを特徴とする請求項４記載の天井照明ユニット。
【請求項６】
前記各グリッド部（Ｇ）において、前記フレームに沿って前記光源（４ａ、４ｂ）を配置すると共に、当該グリッド部（Ｇ）の矩形の対角上からさらに鋭角的に押さえ部材（６ｂ）の先端側に照射する光源（４ｃ）をさらに設けたことを特徴とする請求項５記載の天井照明ユニット。
【発明の詳細な説明】
【技術分野】
【０００１】
本発明は、天井照明ユニットに関し、さらに詳しくは、複数の光源を有するグリット部と隣接するグリット部間に形成される目地部とを有する天井照明ユニットに関する。
【背景技術】
【０００２】
従来の天井照明ユニットにおいては、例えば特許文献１に記載の如く、目地部を光らせることのできる天井照明ユニットは存在していなかった。
【特許文献１】特許第３０６６３９９号
【発明の開示】
【発明が解決しようとする課題】
【０００３】
かかる従来の実情に鑑みて、本発明は、目地部を光らせることができ、さらには、さまざまな照明パターンを有する天井照明ユニットを提供することを目的とする。
【課題を解決するための手段】
【０００４】
上記目的を達成するため、本発明に係る天井照明ユニットの特徴は、複数の光源を有するグリット部と隣接するグリット部間に形成される目地部とを有する構成において、前記グリット部と前記目地部とは少なくともその下面を透光部材で覆われており、前記グリット部と前記目地部との間に遮光板を設け、前記光源を前記グリット部及び前記目地部にそれぞれ配置し、前記光源の点灯により各グリッド又は各目地部を独立して点灯可能に構成したことにある。
【０００５】
また、前記各グリッド部を覆う着脱自在な可動透光部が、左右一対のフリクションアームにより支持され、このフリクションアームは、一端を固定側フレームに枢支させ可動透光部の下方への移動に伴ってこの可動透光部の一方の端部を目地部から遠ざけるように揺動させる第一リンクと、可動透光部の他の部分を支持すると共に他端を前記固定側フレームに横方向に移動自在に支持させて第二リンクとを有するものとしてもよい。同構成によれば、可動透光部は第一リンクにより横方向に移動しながらグリッドから外れるので、目地部との間隙も小さくてよい。また、第二リンクの端を移動自在とすることで、フリクションアーム自体も薄く構成することができる。
【０００６】
前記目地部が透光部材を有し、この透光部材は平坦部と傾斜部とを有しこれら両部分は鈍角をなすものとしてもよい。これによれば、後述の通り目地部に影や光の濃淡が生じることを防止することができる。
【０００７】
前記可動透光部が、平面視で矩形に組まれたフレームを有し、このフレームの長手方向直交断面が下方に向かうに従って外側に広がり且つ鋭角となるように構成してもよい。これにより、フレームの先端にまで光りが回り込み、グリッド全体を影なく点灯させることが可能となる。
【０００８】
前記可動透光部が透光部材としてキャンバス地を有し、前記可動透光部のフレームがキャンバス地の押さえ部材を有し、この押さえ部材は前記可動透光部の側方から着脱操作可能としてもよい。同構成によれば、可動透光部の下面を上に配向してフレームにキャンバス生地を張る作業を行うことができて合理的である。
【０００９】
前記各グリッド部において、前記フレームに沿って前記光源を配置すると共に、当該グリッド部の矩形の対角上からさらに鋭角的に押さえ部材の先端側に照射する光源をさらに設けてもよい。同構成によれば、上記フレームの先端まで均一に光を照射でき、影のない照明光を得ることができるようになった。
【発明の効果】
【００１０】
上記本発明に係る天井照明ユニットの特徴によれば、グリット部だけでなく目地部も同時に光らせ、面一体として見せることが可能となった。さらに、目地部だけを光らす事もでき、状況に応じた照明を作り出すことができるようになった。
【００１１】
本発明の他の目的、構成及び効果については、以下の発明の実施の形態の項から明らかになるであろう。
【発明を実施するための最良の形態】
【００１２】
次に、適宜添付図面を参照しながら、本発明をさらに詳しく説明する。
本発明に係る天井照明ユニット１は、大略、グリット部Ｇと目地部Ｈとからなり、天井部にマトリックス状を形成する。
【００１３】
グリット部は、対向する一対のキャンバスフレーム５と、そのキャンバスフレーム５の両端部に取り付けられた対向する一対のキャンバス取付フレーム６により囲まれた略方形の照明部であり、キャンバス取付フレーム６に取り付けられた透光部材の一種であるキャンバス地２に覆われている。グリット部Ｇ上面部には図６に示すように複数の光源４ａ〜ｃが配置されている。
【００１４】
キャンバスフレーム５は、自身も平面視で矩形に組まれている。そして、図１，２に示すように、平面視で矩形に組まれた天井フレーム２０に取り付けられた支持部材２１に固定された連結部材２２に取り付けられる。そして、その縁部近傍でフリクションアーム１０により固定側フレーム２５に開閉自在に連結されている。
【００１５】
ピンラッチ１９は、図４に示す如く、キャンバスフレーム５側に基部１９ａ、可動ピン１９ｂ、係止爪１９ｃを有し、可動ピン１９ｂを受け入れる固定部１９ｄを固定側フレーム２５に取り付けてある。そして、キャンバス取付フレーム６を含む可動透光部Ｍを押し上げることにより、可動ピン１９ｂの押圧で係止爪１９ｃを出退させて選択的に着脱可能な構成となっている。外された可動透光部Ｍは、フリクションアーム１０により一定角度まで開閉させることができる。これにより、可動透光部Ｍ及び連結したキャンバス取付フレーム６とを簡単に開閉させることが可能となり、メンテナンス作業が容易となる。
【００１６】
また、キャンバス取付フレーム６は、図２に示す如く、隣接する目地部中央方向に傾斜する斜面を有する。キャンバス取付フレーム６は、キャンバスフレーム５同様に平面視で矩形に形成され、上部又は側面等にてボルトによりキャンバス地２を止着させる。このフレームの長手方向直交断面が下方に向かうに従って外側に広がり且つ鋭角となる
【００１７】
目地部Ｈは、隣接するグリットＧ部間に遮光板３０により隔てられ、アクリル板３に覆われた部分である。遮光板３０は、図５に示す如く、フレームと別体又は一体の掛止部３１に回転自在に取り付けられており、目地部Ｈとグリット部Ｇとを自在に仕切ることが可能である。
【００１８】
アクリル板製の透光部材３は、図２、３に示すように、断面略コの字状を呈し、キャンバス取付フレーム６の斜面と略平行となるよう傾斜しており、連結部材２２先端に取り付けられたアクリル板取付部２３に固定されている。アクリル板取付部２３は、目地部Ｈ中央に対し上述のアクリル板３と同様に傾斜している。また、目地部Ｈ上面部にも光源４ｄが配置されている。
【００１９】
次に、グリット部Ｇ及び目地部Ｈの点灯について説明する。
図６に示すように、光源は、グリット部Ｇ内に略方形の各辺にそれぞれ配置され（４ａ，４ｂ）、グリット部Ｇの対角線４ｃ上にも配置されている。対角線上に配置した光源４ｃが発する光は、対向するグリット部Ｇの角部にまで届く。また、図８に示す如く、キャンバス取付フレーム６の端部にも光が届くこととなり、グリット部Ｇ全体を影のない均一な照明とすることができる。
【００２０】
さらに、図７に示す如く、キャンバス取付フレーム６及びアクリル板製の透光部材３は傾斜している。すなわち、透光部材３は平坦部３ｂと傾斜部３ａとを有し、これら両部分は鈍角をなす。この傾斜により、グリット部Ｇの光源から発する光は、キャンバス取付フレーム６端部まで届き、目地部の光源４ｄから発する光は、アクリル板３の傾斜面を透過し、キャンバス取付フレーム６の傾斜面を照らすこととなる。よって、目地部Ｈも十分の明るさを得ることができ、さらにフレーム部分をも明るくすることができる。
【００２１】
また、グリット部Ｇと目地部Ｈは遮光板３０により仕切られ、各部分には光源を有している。よって、図９（ａ）〜（ｅ）に示す如く、斜線部分のみを点灯させることが可能となる。すなわち、各グリット部及び各目地部の光源の点灯の組み合わせにより、さまざまな照明パターンを得ることができ、模様や絵を表現することも可能である。さらに、各部分に色を付けカラフルな照明とすることもできる。なお、透光部材２，３は乳白色の半透明部材であれば、キャンバス地、アクリル板以外のものも使用可能である。
【００２２】
次に、図１０〜１２を参照しながら、本発明の第二実施形態について説明する。なお、第一実施形態と同様の部材には同じ符合を附してある。
図１０，１１（ａ）に示すように、各グリッド部Ｇを覆う着脱自在な可動透光部Ｍが、左右一対のフリクションアーム１０，１０により支持されている。なお、図１０（ａ）では、フリクションアーム１０が第一実施形態とは９０度異なり紙面前後に配置されている。また、図１０（ａ）の左右両側に図示省略する前記ピンラッチ１９が設けられている。このフリクションアーム１０は、一端を固定側フレーム２５に枢支させ可動透光部Ｍの下方への移動に伴ってこの可動透光部Ｍの一方の端部を目地部Ｈから遠ざけるように揺動させる第一リンク１２と、可動透光部Ｍの他の部分を支持すると共に他端を前記固定側フレーム２５に横方向に移動自在に支持させが第二リンク１３とを有する。第二リンク１３の上端は固定側フレーム２５に設けられたスロット２５ａにローラー１３ａを介して移動自在に嵌合させてある。また、第二リンク１３のほぼ中央部には、端部を固定フレーム２５に枢支させたサブアーム１４が接続されている。
【００２３】
通常は、図示しないピンラッチにより２カ所で固定されており、ピンラッチ１９部分を下から押すことで、鎖線から実線の如く可動透光部Ｍの下方への移動が行われる。キャンバス取付フレーム６とアクリル板製の透光部材３とは非常に小さなクリアランスであっても可動透光部Ｍの開閉が可能である。
【００２４】
図１１（ａ）は本実施形態のフリクションアーム１０の長手方向に交差する断面図である。本実施形態では、板状のベースプレート１５を固定側フレーム２５内に配置し、かつ、固定側フレーム２５のスロット２５ａをベースプレート１５の下部に設けて、第二リンク１３の端がそのスロット２５ａにローラー１３ａを介して移動自在としたので、第一、第二リンク１２，１３、ベースプレート１５及び固定側フレーム２５の各間隔を狭めることができ、フリクションアーム１０自体も薄く構成することができる。また、フリクションアーム１０を薄くすることにより、キャンバス地２にフリクションアーム１０の影が映ることもない。
【００２５】
図１２にはキャンバス取付フレーム６の拡大図を示す。同フレーム６は、フレーム本体６ａの他にキャンバス地２の押さえ部材６ｂを有し、この押さえ部材６ｂはキャンバス地２を保持する。そして、押さえ部材６ｂをねじ６ｃで可動透光部Ｍの側方から着脱操作することが可能に構成されている。
【００２６】
最後に、本発明に対する比較例について説明する。
上記実施形態においてキャンバス取付フレーム６及びアクリル板３に斜面を形成した。しかし、図１３の比較例ではキャンバス取付フレーム６’の外面６’ｅと、目地部のアクリル板３’の外面３’ｃとを垂直に形成してある。この場合、Ｂ部は明るいが、Ｄ部は暗くなり、光のムラが生じる。また、図１４の比較例では、仕切が存在せず、連結部材２２によって例えば光源４ａ１の光路Ｌａは遮られ、暗いＤ部を明るいＢ部の他に生じる。これに対し、図３，４に示す本願発明は、目地傾斜部３ａとキャンバス取付フレーム６との双方を傾斜させてあるので、目地部のアクリル板３にもキャンバス取付フレーム６の内側にも暗くなる部分を生じない。
【産業上の利用可能性】
【００２７】
本発明は、目地部を光らせることができ、さらには、さまざまな照明パターンを有する天井照明ユニットとして用いることができる。例えば、ギャラリー等の展示会場等の照明や、ショウルームの演出等にも利用することができる。
【図面の簡単な説明】
【００２８】
【図１】本発明に係る天井照明ユニットの部分破砕平面図である。
【図２】目地部近傍の縦断面図である。
【図３】目地部近傍の拡大断面図である。
【図４】ピンラッチの拡大正面図である。
【図５】遮光板の掛部近傍拡大図である。
【図６】照明の光の方向を示す平面図である。
【図７】目地部での照明の光の方向を示す正面図である。
【図８】図６のＡ−Ａ’断面図である。
【図９】照明のパターンを示す概略図である。
【図１０】本発明の第二実施形態を示し、（ａ）は目地部近傍の縦断面図，（ｂ）はフリクションアームの平面図である。
【図１１】フリクションアームの断面図を示し，（ａ）は第一実施形態、（ｂ）は第二実施形態である。
【図１２】第二実施形態のキャンバス取付部材の拡大図である。
【図１３】本発明の比較例を示す図７相当図である。
【図１４】本発明の他の比較例を示す図７相当図である。
【符号の説明】
【００２９】
１：天井照明ユニット、２：キャンバス地（透光部材）、３，３’：アクリル板（透光部材）、３ａ：傾斜部、３ｂ：平坦部、３’ｃ：外面、４ａ〜ｄ：光源、５：キャンバスフレーム、６，６’：キャンバス取付フレーム、６ａ：フレーム本体、６ｂ：押さえ部材、６ｃ：ねじ、６ｄ：傾斜部、６’ｅ：外面、１０：フリクションアーム、１１：取付座、１２：第一リンク、１３：第二リンク、１３ａ：ローラー、１４：サブアーム、１５：ベースプレート、１９：ピンラッチ、１９ａ：基部、１９ｂ：可動ピン、１９ｃ：係止爪、１９ｄ：固定部、２１：支持部材、２２：連結部材、２３：アクリル板取付部（透光部材取付部）、２５：固定側フレーム、２５ａ：スロット、３０：遮光板、３１：掛止部、Ｇ：グリット部、Ｈ：目地部、Ｌａ〜ｄ：光路、Ｍ１、Ｍ２：点灯部、Ｍ：可動透光部
【図１】
2006108079.tif 000003
【図２】
2006108079.tif 000004
【図３】
2006108079.tif 000005
【図４】
2006108079.tif 000006
【図５】
2006108079.tif 000007
【図６】
2006108079.tif 000008
【図７】
2006108079.tif 000009
【図８】
2006108079.tif 000010
【図９】
2006108079.tif 000011
【図１０】
2006108079.tif 000012
【図１１】
2006108079.tif 000013
【図１２】
2006108079.tif 000014
【図１３】
2006108079.tif 000015
【図１４】
2006108079.tif 000016